(57)【要約】      （修正有）【課題】野菜室に湿度センサを備えた冷蔵庫に関し、野菜室内が所定湿度以上の時に静電霧化装置に通電し、野菜室内の除菌および脱臭を効率的に高める冷蔵庫を提供することを目的とする。【解決手段】野菜室と、野菜室内に収納される収納ケースと、冷却器と、野菜室へ冷気を供給する冷却ファンと、野菜室への冷気量を制御する野菜室ダンパと、野菜室の湿度を検知する野菜室湿度センサと、野菜室内に備えられミストを噴霧する静電霧化装置とを備え、野菜室ダンパを閉じて野菜室湿度センサが所定湿度以上であれば、静電霧化装置に通電し、野菜室内を高湿に保ちながら、除菌および脱臭を効率的に高めることができる。【選択図】図１１
2019095113.tif 000002
【特許請求の範囲】
【請求項１】
貯蔵室と、前記貯蔵室内に収納される収納ケースと、前記貯蔵室を冷却する冷却器と、前記貯蔵室へ冷気を供給する冷却ファンと、前記貯蔵室の湿度を検知する湿度センサと、前記貯蔵室内に備えられミストを発生する静電霧化装置とを備え、前記湿度センサが所定湿度以上であれば、前記静電霧化装置に通電してミストを発生させることを特徴とする冷蔵庫。 
【請求項２】
前記貯蔵室への冷気量を制御するダンパを備え、前記ダンパを閉じた時に前記湿度センサが所定湿度以上であれば、前記静電霧化装置に通電することを特徴とする請求項１記載の冷蔵庫。 
【請求項３】
前記静電霧化装置への通電は、前記ダンパを閉じた時に開始し次回前記ダンパを開いた後に停止され、前記ダンパが開いた時に他の貯蔵室への冷気量を制御する他のダンパが開くことを特徴とする請求項２記載の冷蔵庫。
【請求項４】
前記湿度センサと前記静電霧化装置は前記貯蔵室の壁面にカバーで覆われて配置し、前記湿度センサと前記静電霧化装置は前記カバー側に固定され、前記湿度センサと前記静電霧化装置との間は前記カバーに形成された仕切部で仕切られていることを特徴とする請求項１から３のいずれかに記載の冷蔵庫。
【請求項５】
前記貯蔵室は野菜室であることを特徴とする請求項１から４のいずれかに記載の冷蔵庫。
【発明の詳細な説明】
【技術分野】
【０００１】
本発明は貯蔵室に静電霧化装置と湿度センサを備えた冷蔵庫に関するものである。
【背景技術】
【０００２】
近年、野菜室の保鮮性を高めるために、野菜室内に湿度センサを備え、その湿度センサの検出した湿度に基づいて超音波加湿装置の出力を制御し、湿度を食品の保存に適した湿度に調節する冷蔵庫が提案されている（例えば、特許文献１参照）。
【先行技術文献】
【特許文献】
【０００３】
【特許文献１】特開平６−２５７９３３号公報
【発明の概要】
【発明が解決しようとする課題】
【０００４】
しかしながら、上記従来の冷蔵庫では、湿度センサーは超音波加湿装置の霧吹出しのＯＮ−ＯＦＦを制御するが、野菜ケースの湿度がある所定湿度より低い時は加湿を行い、所定湿度より高い時は加湿を止めるもので、超音波加湿装置は野菜室の湿度が適度に加湿されるように湿度を補って、野菜の蒸散作用を抑制するものであり、ミストを噴霧して野菜の除菌や脱臭効果を得られないという課題を有している。  本発明は上記従来の課題を解決するものであり、湿度センサが所定湿度以上を検知した場合に静電霧化装置に通電して、オゾンやＯＨラジカルを含んだ微細ミストを噴霧し、所定湿度以上を保ちながら微細ミストを効率的に噴霧し、除菌および脱臭効果を高めた冷蔵庫を提供することを目的とする。
【課題を解決するための手段】
【０００５】
上記従来の課題を解決するために、本発明の冷蔵庫は、貯蔵室と、前記貯蔵室内に収納される収納ケースと、前記貯蔵室を冷却する冷却器と、前記貯蔵室へ冷気を供給する冷却ファンと、前記貯蔵室の湿度を検知する湿度センサと、前記貯蔵室内に備えられミストを発生する静電霧化装置とを備え、前記湿度センサが所定湿度以上であれば、前記静電霧化装置に通電してミストを発生させるものである。
【０００６】
これにより、野菜室内を所定湿度以上に保たれている時に微細ミストを効率的に噴霧し、除菌および脱臭効果を高めることができる。
【発明の効果】
【０００７】
本発明の冷蔵庫は、野菜室内を所定の湿度以上に保っているときに、静電霧化装置に通電し微細ミストを発生させて、野菜室の除菌および脱臭効果を効率的に高めることができる冷蔵庫を提供することができる。
【図面の簡単な説明】
【０００８】
【図１】本発明の実施の形態１における冷蔵庫の正面図
【図２】同冷蔵庫の冷気流れを説明する説明図
【図３】同冷蔵庫の断面図
【図４】同冷蔵庫の冷凍室を示す正面図
【図５】同冷蔵庫の冷却室を示す断面図
【図６】同冷蔵庫の野菜室ダクトと冷蔵室戻りダクトを示す断面図
【図７】同冷蔵庫の野菜室の縦断面略図
【図８】図７の矢視Ａから見た断面略図
【図９】本実施の形態の冷蔵庫の野菜室の湿度センサによる野菜室ヒータの制御を示すフローチャート
【図１０】本実施の形態の冷蔵庫の野菜室の湿度センサによる野菜室ヒータの外気温度と通電率の関係を示すグラフ
【図１１】本発明の静電霧化装置の動作フロー
【図１２】本発明の実施の形態１における冷蔵庫の動作タイミングチャート
【発明を実施するための形態】
【０００９】
請求項１に記載の発明は、貯蔵室と、前記貯蔵室内に収納される収納ケースと、前記貯蔵室を冷却する冷却器と、前記貯蔵室へ冷気を供給する冷却ファンと、前記貯蔵室の湿度を検知する湿度センサと、前記貯蔵室内に備えられミストを発生する静電霧化装置とを備え、前記湿度センサが所定湿度以上であれば、前記静電霧化装置に通電してミストを発生させるものであり、所定湿度以上に保った状態で微細ミストを効率的に噴霧するので、除菌および脱臭効果を効率的に高め、消費電力量を抑制し、また高電圧がかかる霧化電極の電極耐久性を向上させることができる。
【００１０】
請求項２に記載の発明は、請求項１に記載の発明において、前記貯蔵室への冷気量を制御するダンパを備え、前記ダンパを閉じた時に前記湿度センサが所定湿度以上であれば、前記静電霧化装置に通電するものであり、ダンパを閉じて貯蔵室への冷気流量を停止することで、貯蔵室内の湿度が所定湿度以上に維持しやすくなるので、静電霧化装置を通電して室内の除菌、脱臭を効率的に高めることができる。
【００１１】
請求項３に記載の発明は、請求項２に記載の発明において、前記静電霧化装置への通電は、前記ダンパを閉じた時に開始し次回前記ダンパを開いた後に停止され、前記ダンパが開いた時に他の貯蔵室への冷気量を制御する他のダンパが開くものであり、貯蔵室内に噴霧された微細ミストを他の貯蔵室へも分配することができ、他の貯蔵室の除菌および脱臭効果を高めることができる。
【００１２】
請求項４に記載の発明は、請求項１から３のいずれかに記載の発明において、前記湿度センサと前記静電霧化装置は前記貯蔵室の壁面にカバーで覆われて配置し、前記湿度センサと前記静電霧化装置は前記カバー側に固定され、前記湿度センサと前記静電霧化装置との間は前記カバーに形成された仕切部で仕切られているものであり、仕切部によって噴霧する微細ミストが湿度センサの方へ入り込まないように仕切られるので、湿度センサの検知精度を向上し、庫内の湿度を正確に取得できるため、効率的に静電霧化装置に通電することができる。
【００１３】
請求項５に記載の発明は、請求項１から４のいずれかの発明において、前記貯蔵室は野菜室であり、野菜室内を所定湿度以上に保ちながら野菜室内の除菌および脱臭効果を効率的に高めた冷蔵庫を提供することができる。
【００１４】
以下、本発明の実施の形態について、図面を参照しながら説明する。なお、この実施の形態によって本発明が限定されるものではない。
【００１５】
（実施の形態１）
図１〜図３は冷蔵庫の全体構成を説明する図、図４〜図６は冷却室から野菜室への冷気供給構成を説明する図である。
【００１６】
まず図１〜図３を用いて冷蔵庫の全体構成を説明する。
【００１７】
図１〜図３において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に発泡充填された発泡断熱材４とで構成してあり、仕切板５、６等によって複数の貯蔵室が仕切形成してある。また、前記冷蔵庫本体１の各貯蔵室は冷蔵庫本体１と同様の断熱構成を採用した回動式の扉７或いは引出し式の扉８、９、１０、１１で開閉自在としてある。
【００１８】
冷蔵庫本体１内に形成した貯蔵室は、最上部の冷蔵室１４と、冷蔵室１４の下に設けた温度帯切り替え可能な切替室１５と、切替室１５の横に設けた製氷室１６と、切替室１５および製氷室１６と最下部の野菜室１７との間に設けた冷凍室１８で構成している。そして、前記冷蔵室１４には複数の棚板２０が設けてあり、その下部には冷却温度帯の異なるパーシャル室２１とチルド室２２が上下二段に重ねて設けてある。
【００１９】
上記冷蔵室１４は、冷蔵保存するための貯蔵室で、凍らない程度の低い温度、具体的には、通常１〜５℃に設定され冷却される。また、冷蔵室内に設けたパーシャル室２１は微凍結保存に適した−２〜−３℃に設定され、チルド室２２は冷蔵室１４よりも低くパーシャル室２１よりは高めの１℃前後の温度に設定され冷却される。
【００２０】
野菜室１７は、冷蔵室１４と同等もしくは若干高く温度設定される貯蔵室で、具体的には、２〜７℃に設定され冷却される。この野菜室１７は野菜等の収納食品から発せられる水分により高湿度となるため、局所的に冷えすぎると結露することがある。そのため、比較的高い温度に設定することで冷却量を少なくし、局所的な冷えすぎによる結露発生を抑制している。
【００２１】
冷凍室１８は、冷凍温度帯に設定される貯蔵室で、具体的には、通常−２２〜−１８℃に設定され冷却されるが、冷凍保存状態向上のため、例えば−３０℃や−２５℃などの低温に設定され冷却されることもある。
【００２２】
切替室１５は、庫内の温度が変更可能な貯蔵室であり、用途に応じて冷蔵温度帯から冷凍温度帯まで切り換えることができるようになっている。
【００２３】
一方、前記冷凍室１８の背面には冷却室２３が設けてあり、この冷却室２３には冷気を生成する冷却器２４と、冷気を前記各室に供給する冷却ファン２５とが設置してある。そして更に冷却器２４の下方にはガラス管ヒータ等で構成した除霜手段２６（以下、ガラス管ヒータと称す）が設けてある。
【００２４】
冷却器２４は、圧縮機２７と、コンデンサ（図示せず）と、放熱用の放熱パイプ（図示せず）と、キャピラリーチューブ（図示せず）とを環状に接続して冷凍サイクルを構成しており、圧縮機２７によって圧縮された冷媒の循環によって冷却を行う。
【００２５】
また、冷却ファン２５は冷却器２４の上方に設けてあり、その下流側に連なる冷蔵室ダクト２８、冷凍室ダクト２９、野菜室ダクト３０を介して冷蔵室１４、冷凍室１８、野菜室１７等に冷気を供給し、これら各室を冷却するようになっている。
【００２６】
以下、上記冷却室２３、冷蔵室１４、冷凍室１８、野菜室１７の各室及びその冷却の構成について説明していく。
【００２７】
次に冷却室と冷気供給構成について説明する。
【００２８】
冷却室２３は冷凍室１８の背面にあって図５に示すよう冷却室形成板３１と内箱３とによって形成してあり、冷却室形成板３１の上部に冷却ファン２５を装着することにより冷却器２４上方に冷却ファン２５を位置させてある。また、冷却室形成板３１の前面側には冷凍室背面板３２を装着して冷却ファン２５の下流側を覆い冷却室２３との間に冷却ファン下流側と連通する冷凍室ダクト２９を形成している。
【００２９】
そして、上記冷却ファン２５の下流側には冷蔵室１４の冷蔵室ダクト２８と、野菜室１７の野菜室ダクト３０が、それぞれ異なる位置で別個に独立した形で接続してある。詳述すると、前記冷却ファン下流側の上部の上面は図２等に示すように冷蔵室１４と冷凍室１８を仕切る仕切板５に設けた第１冷気供給口３３、冷蔵室ダンパ３７を介して冷蔵室ダクト２８につながっており、冷却ファン下流側の上部の側方には第２冷気供給口３４を設けて野菜室ダクト３０が接続してある。冷蔵室ダンパ３７は冷蔵室１４の設定温度に対する冷蔵室センサ（図示しない）温度に応じて開閉制御され、冷蔵室１４への冷気量を調節している。
【００３０】
すなわち、上記冷蔵室ダクト２８と野菜室ダクト３０は冷却室２３に対し、それぞれ異なる位置で別個に独立した形で接続してある。そして、冷却器２４で生成した冷気を冷却ファン２５によって前記第１冷気供給口３３と第２冷気供給口３４に別個に独立した形で供給し、冷蔵室ダクト２８と野菜室ダクト３０へと供給する。
【００３１】
なお、上記冷却器２４の下方には図６に示すように冷却器２４ガラス管ヒータ２６を覆う傘状断面のヒータカバー３５が設置してあり、冷却室２３の底面には除霜水を外部に排出する排水口３６が設けてある。
【００３２】
次に図２を用いて野菜室とその冷却構成について説明する。
【００３３】
野菜室１７は、図３に示すように冷凍室１８下方の冷蔵庫本体１最下部に位置していて、冷凍室１８と同様、下部収納ケース１７ａと上部収納ケース１７ｂが扉１０の引出し開閉によって出し入れ自在なるように設けてある。
【００３４】
この第２冷気供給口３４は既述した通り、冷蔵室１４への冷気供給口となる第１冷気供給口３３とは別個に独立した形で形成してある。すなわち、第２冷気供給口３４は冷却室２３の上方に位置する冷蔵室１４と冷凍室１８とを仕切る仕切板５より下方、即ち冷凍室１８の背面投影面積内であって、前記冷却ファン２５と略同じ高さ位置の冷却ファン下流側部分に設けてある。そして、この第２冷気供給口３４に接続した野菜室ダクト３０の下端は野菜室１７の上部に開口していて、野菜室１７に冷気を供給するようになっている。
【００３５】
上記野菜室ダクト３０はその上端部の側部を開口７４させて第２冷気供給口３４に突き合わせ接続してあり、この接続部近傍、具体的には冷却ファン２５と略同じ高さ位置範囲に野菜室ダンパ７５を組み込んである。
【００３６】
またこの野菜室ダンパ７５は、冷蔵室戻りダクト５８の前面に形成した野菜室ダクト通路部となる凹状溝５８ｂに嵌め込み、この状態の冷蔵室戻りダクト５８の凹状溝５８ｂ前面に野菜室ダクト３０を嵌め込み装着することにより冷蔵室戻りダクト５８と野菜室ダクト３０との間で挟持固定してある。
【００３７】
そして、上記野菜室ダクト３０および冷蔵室戻りダクト５８は発泡スチロール等の弾性力を有する材料で形成してあり、その弾性力によって両者間の気密性を確保すると同時に野菜室ダンパ７５の気密性も確保する構成としてある。
【００３８】
なお、野菜室ダンパ７５は野菜ダンパ駆動用モータユニット７６によって駆動されるダンパ片７５ａが野菜室ダクト３０を流れる冷気と逆の方向、この例では上向きに開くように構成してある。これは前記した冷蔵室ダクト２８のダンパ開き方向とは反対の方向である。
【００３９】
また、野菜室１７内には、野菜室の扉１０に固定された扉フレームに支持されて前方に引き出される下部収納ケース１７ａと下部収納ケース１７ａの上面を覆うように下部収納ケース１７ａの側面上部フランジに支持される上部収納ケース１７ｂとを備えており、上下収納ケース間はそれぞれシール性を高めた構造で、下部収納ケース１７ａの前壁部には湿度調整フィルタ１０５が形成され、内部に収納される野菜、果物等から発生する水分の蒸散を抑制して野菜、果物等の保鮮性を高めることができる。上部収納ケース１７ｂの前壁部にも同様の湿度調整フィルタ１０５が配置している。
【００４０】
また野菜室１７の後部で、下部収納ケース１７ａの後方右側に冷気を吐出する冷気吐出口１００と、野菜室１７の上部で、上部収納ケース１７ｂの手前前方左側に冷気を吸込む冷気吸込み口１０１が配置しており、冷気は冷気吸込み口１０１から吸込みダクト１１３を通って冷却器２４へ戻る。上部収納ケース１７ｂは下部収納ケース１７ａの上部に配置されている。上部収納ケース１７ｂの上面開口部の周縁部の前部には天面部である仕切板６との空間をシールする前シール部１０２と、上面開口部の周縁部の後部には後シール部１０３を形成し、後シール部１０３は、仕切板６の後方に形成した冷却室２３と下部の野菜室を断熱区画する区画壁１０４との空間をシールする構成になっている。
【００４１】
また吸込みダクト１１３内には野菜室温度を検知する野菜室温度センサ１１４が設置されており、野菜室の設定温度に対する検知温度に応じて野菜室ダンパ７５を制御し冷気量を調節している。
【００４２】
また、野菜室１７と冷凍室１８とを断熱区画する天面部の仕切板６の野菜室１７側には凹部１０６を有し、前記凹部１０６の内部に除菌手段である静電霧化装置１０７と湿度センサ（野菜室湿度センサ）１０８を備えており、静電霧化装置１０７は、高電圧発生部と電極を有し、電極には庫内を結露させ収集した水分が供給されるものである。野菜室１７内側に形成されるカバー１０９側に静電霧化装置１０７と野菜室湿度センサ１０８を支持部で固定し、天面部に形成された凹部１０６に野菜室内から取付ける。同じカバー１０９内で静電霧化装置１０７と野菜室湿度センサ１０８とは左右に仕切る仕切部１１０で仕切られている。このため静電霧化装置１０７で発生した微細ミストは所定の開口部（図示しない）を通って野菜室１７に放出されるが、仕切部１１０があるので野菜室湿度センサ１０８側に微細ミストが流れて入り込むことを防止する。したがって、静電霧化装置１０７と野菜室湿度センサ１０８とが仕切部１１０で仕切って隣り合わせの空間に配置しているので野菜室１７の湿度を正確に検知でき、野菜室１７の湿度を正確に検知することができ、検知湿度に従って効率的に静電霧化装置１０７を通電することができる。
【００４３】
また凹部１０６を形成しカバー１０９を固定するカバー保持部材１１１が形成され、仕切板６の断熱材側でカバー保持部材１１１の上面には野菜室ヒータ１１２が配置しているので上部収納ケース１７ｂの上部スペースを確保することができる。
【００４４】
特に、野菜室ヒータ１１２は静電霧化装置１０７の上部よりも野菜室湿度センサ１０８の上部にヒータパターンを密集させて配置している。天面に設けられた野菜室湿度センサ１０８の検出湿度に応じて野菜室ヒータ１１２の通電を制御している。詳細は後述する。
【００４５】
また野菜室湿度センサ１０８が支持固定されるカバー１０９には開口孔が形成されており、開口孔は野菜室湿度センサ１０８に対向する部分にはなく、所定寸法あけて対向しない位置に開口孔が形成されている。したがって、野菜室湿度センサ１０８の直下に収納された野菜の影響で野菜室湿度センサ１０８が検知するのを抑制することができ、安定した湿度を検出することができる。
【００４６】
図９は本実施の形態の冷蔵庫の野菜室の湿度センサによる野菜室ヒータの制御を示すフローチャート、図１０は本実施の形態の冷蔵庫の野菜室の湿度センサによる野菜室ヒータの外気温度と通電率の関係を示すグラフである。
【００４７】
図９において、野菜室湿度センサ１０８で野菜室１７内の湿度を測定する（Ｓ−５１）。野菜室内の湿度がＨ１以下かを判断し（Ｓ−５２）、Ｈ１以下であれば野菜室ヒータ１１２を通電率Ｋで通電制御する（Ｓ−５３）。そして所定時間（Ｔ４）通電率Ｋで通電制御する（Ｓ−５４）。また、Ｓ−５２で野菜室内の湿度がＨ１以上であれば、さらにＨ２以上かを判断する（Ｓ−５５）。Ｈ２以上であれば野菜室ヒータ１１２を通電率Ｌで通電制御する（Ｓ−５６）。そして所定時間（Ｔ４）通電率Ｌで通電制御する（Ｓ−５７）。また、Ｓ−５５で野菜室内の湿度がＨ２以下（すなわち野菜室内の湿度がＨ１〜Ｈ２の間）であれば、野菜室ヒータ１１２を通電率Ｍで通電制御する（Ｓ−５８）。そして所定時間（Ｔ４）通電率Ｍで通電制御する（Ｓ−５９）。
【００４８】
具体的には、図に示すように、野菜室湿度センサ１０８による野菜室ヒータ１１２の通電率は外気温度毎に決められており、例えば高湿時（８５％以上）は、中湿時（２０〜８５％）より野菜室ヒータ１１２の通電率を高くし、低湿時（２０％以下）は、中湿時（２０〜８５％）より野菜室ヒータ１１２の通電率を低くする。
【００４９】
これにより、野菜室１７内の湿度に応じた野菜室ヒータ１１２の通電率の制御が可能となり、簡素な構造で、野菜室１７内を高湿に保ちながら野菜室１７内の結露を防止することができる。そして、野菜室湿度センサがない従来の冷蔵庫では、結露に対する信頼性と省エネ性のバランスから中湿条件を基に野菜室ヒータの通電率を決定するが、本実施の形態では、野菜室湿度センサ１０８の検出結果に応じて野菜室ヒータ１１２の適切な通電制御が可能となり、結露に対する信頼性と省エネ性をバランスさせることができ、省エネ性と野菜室の保鮮性を両立することができる。
【００５０】
図１１は、静電霧化装置１０７の動作フローである。図１１において、圧縮機２７が冷凍室温度センサ（図示しない）に応じてＯＮする（Ｓ−１）。そして同時に野菜室ダンパ７５を開放する（Ｓ−２）。野菜室の検知温度が設定温度以下になれば（Ｓ−３）、野菜室ダンパ７５を閉じ、同時に野菜室湿度センサ１０８による検知湿度が５０％以上かを判断し（Ｓ−４）、５０％以上であれば静電霧化装置１０７のペルチェ素子に通電する（Ｓ−５）。そして所定時間、実施例の場合は５分経過後（Ｓ−６）、霧化電極（図示しない）に電圧を印加する電圧印加部(図示しない)に高電圧を印加する（Ｓ−７）。
【００５１】
上記のように、野菜室１７は、室内を３〜７℃の温度で収納された野菜や野菜室１７の上下収納ケース間はそれぞれシール性を高めた構造により５０％以上の高湿状態となっている時に、先にペルチェ素子に通電し、所定湿度以上の空気がペルチェ素子に冷却されて霧化電極(図示しない)に水滴を発生させる。所定時間経過後、電圧印加部に高電圧を印加することで、静電霧化装置１０７を通電するので、対向電極（図示しない）との間で水滴を静電エネルギーにより微細化され、静電霧化装置１０７は数ｎｍレベルの目視できない電荷をもったナノレベルの微細ミストと、オゾンやＯＨラジカルなどを発生しやすくなっており、効率的に安定して微細ミストを供給することができる。
【００５２】
また野菜室ダンパ７５を閉じた状態で静電霧化装置１０７が運転されるので、野菜室１７の脱臭や野菜の除菌効果を効率的に高めることができる。また図１２のように、静電霧化装置１０７に通電中に野菜室ダンパ７５と冷蔵室ダンパ３７を開放し、野菜室内のオゾンやＯＨラジカルを含んだ微細ミストは、冷気とともに野菜室の冷気吸込み口１０１を通って、冷却器２４で熱交換され冷却ファン２５によって冷蔵室１４、切替室１５、製氷室１６、冷凍室１８へ供給されているので、全室の脱臭効果および除菌効果を効率的に高めることができる。
【００５３】
そして、静電霧化装置１０７の電圧印加部に高電圧がかかっている状態が所定時間、実施例の場合は３０分経過、またはステップＳ−３で野菜室ダンパ７５が閉じた後、野菜室１７の温度が野菜室温度センサ１１４によって設定温度以上になったと判断して野菜室ダンパ７５が開放されても静電霧化装置１０７の通電を継続し、野菜室が所定温度に冷却され、再び野菜室ダンパ７５が閉じる（Ｓ−８）と、静電霧化装置１０７の通電、すなわちペルチェ素子および電圧印加部への高電圧の通電を停止する（Ｓ−９）。
【００５４】
ステップＳ−８で静電霧化装置１０７への通電が所定時間経過すると、野菜室ダンパ７５が開放している状態でも通電を停止する。
【００５５】
上記のように、静電霧化装置１０７は、野菜室１７の野菜室湿度センサ１０８が所定湿度以上の状態で通電するので、効率的にオゾンやＯＨラジカルなどを含んだ微細ミストを発生させることができ静電霧化装置１０７の無駄な消費電力を抑制することができ、また静電霧化装置１０７への通電率を低減できるので高電圧がかかる霧化電極の電極耐久性を向上させることができる。
【００５６】
以上説明したように、静電霧化装置１０７は野菜室湿度センサ１０８の検出湿度に基づいて通電制御されるものであり、野菜室内の湿度が所定湿度以上の場合に静電霧化装置１０７を通電するので、微細ミストが発生しやすく、野菜室１７内の脱臭および除菌効果を効率的に高めることができる。また静電霧化装置１０７を通電しても微細ミストが発生しにくい低湿度状態では静電霧化装置１０７の通電を停止して消費電力量の抑制を図ることができる冷蔵庫を提供することができる。
【００５７】
また、静電霧化装置１０７はペルチェ式で説明したが、ペルチェ素子を使用しないで、伝熱冷却部（図示しない）を野菜室１７の上方にある冷凍室１８の冷熱を伝熱させて冷却し、霧化電極(図示しない)に水滴を発生させ、電圧印加部に高電圧を印加することで、静電霧化装置１０７を通電する方式でもよく、上記と同様に、効率的に安定して微細ミストを供給することができる。
【００５８】
また、野菜室湿度センサ１０８と静電霧化装置１０７は野菜室１７の天面壁部で同じカバーで覆って配置されたものであり、野菜室１７の冷気吐出口１００や冷気吸込み口１０１の影響を受けにくい位置に配置しており、また野菜室内の湿度を比較的に正しく検知できる場所に設定しているので、野菜室内の湿度を精度良く検知し、湿度に応じて静電霧化装置１０７に通電することが可能となる。  上記のように、野菜室湿度センサ１０８は静電霧化装置１０７を制御するとしたが、所定湿度よりも高湿度になった場合に、野菜室湿度センサ１０８で野菜室ダンパ７５を閉じ、静電霧化装置１０７に通電開始する制御をしてもよく、この場合、野菜室１７内を適切な湿度で除菌及び脱臭効果を高める制御をすることができる。
【産業上の利用可能性】
【００５９】
本発明は、野菜室に湿度センサを備えた冷蔵庫において、野菜室内の湿度を検出する湿度センサと、野菜室内に微細ミストを噴霧する静電霧化装置と、を備え、野菜室ダンパは開閉制御され、ダンパが閉じて、湿度センサの検出湿度が所定湿度以上の場合、静電霧化装置に通電されるものであり、家庭用および業務用など様々な種類および大きさの間冷式の冷蔵庫に適用することができる。
【符号の説明】
【００６０】
１７    野菜室
２４    冷却器
２５    冷却ファン
７５    野菜室ダンパ
１０７  静電霧化装置
１０８  野菜室湿度センサ
１１０  仕切部
【図１】
2019095113.tif 000003
【図２】
2019095113.tif 000004
【図３】
2019095113.tif 000005
【図４】
2019095113.tif 000006
【図５】
2019095113.tif 000007
【図６】
2019095113.tif 000008
【図７】
2019095113.tif 000009
【図８】
2019095113.tif 000010
【図９】
2019095113.tif 000011
【図１０】
2019095113.tif 000012
【図１１】
2019095113.tif 000013
【図１２】
2019095113.tif 000014